(57)【要約】【課題】携帯端末装置からから簡単に印刷指示を行うことたでき、更に鍵付き排紙口の解錠において、取り間違いの防止及び確実に自分の出力物を取りだせることができるようにすることを目的とする。【解決手段】無線通信を介して携帯端末装置より印刷指示を受け取ると、携帯端末装置を識別する端末識別情報と、印刷指示に関する印刷ジョブを識別するジョブ識別情報と、を関連付けてジョブ情報として記憶装置に記憶する記憶手段と、無線通信を介して携帯端末装置より携帯端末装置を識別する端末識別情報を受け取ると、端末識別情報を含むジョブ情報が記憶装置に記憶されているか否かを判定する判定手段と、判定手段により端末識別情報を含むジョブ情報が記憶装置に記憶されていると判定された場合、印刷指示に関する印刷ジョブの印刷物が出力されている鍵付き排紙口を解錠する解錠手段と、を有する。【選択図】図１１
2015196323.tif 000002
【特許請求の範囲】
【請求項１】
無線通信を介して携帯端末装置より印刷指示を受け取ると、前記携帯端末装置を識別する端末識別情報と、前記印刷指示に関する印刷ジョブを識別するジョブ識別情報と、を関連付けてジョブ情報として記憶装置に記憶する記憶手段と、
無線通信を介して前記携帯端末装置より前記携帯端末装置を識別する端末識別情報を受け取ると、前記端末識別情報を含むジョブ情報が前記記憶装置に記憶されているか否かを判定する判定手段と、
前記判定手段により前記端末識別情報を含むジョブ情報が前記記憶装置に記憶されていると判定された場合、前記印刷指示に関する印刷ジョブの印刷物が出力されている鍵付き排紙口を解錠する解錠手段と、
を有する画像形成装置。
【請求項２】
前記携帯端末装置より前記印刷ジョブを受信する受信手段を更に有する請求項１記載の画像形成装置。
【請求項３】
前記記憶手段は、所定の領域への前記携帯端末装置のタッチが検知されると、前記無線通信を介して携帯端末装置より印刷指示を受け取り、前記端末識別情報と、前記ジョブ識別情報と、を関連付けてジョブ情報として記憶装置に記憶し、
前記判定手段は、所定の領域への前記携帯端末装置のタッチが検知されると、前記無線通信を介して携帯端末装置より前記携帯端末装置を識別する端末識別情報を受け取り、前記端末識別情報を含むジョブ情報が前記記憶装置に記憶されているか否かを判定する請求項１又は２記載の画像形成装置。
【請求項４】
画像形成装置と、携帯端末装置と、を含む印刷システムであって、
前記画像形成装置は、
無線通信を介して前記携帯端末装置より印刷指示を受け取ると、前記携帯端末装置を識別する端末識別情報と、前記印刷指示に関する印刷ジョブを識別するジョブ識別情報と、を関連付けてジョブ情報として記憶装置に記憶する記憶手段と、
無線通信を介して前記携帯端末装置より前記携帯端末装置を識別する端末識別情報を受け取ると、前記端末識別情報を含むジョブ情報が前記記憶装置に記憶されているか否かを判定する判定手段と、
前記判定手段により前記端末識別情報を含むジョブ情報が前記記憶装置に記憶されていると判定された場合、前記印刷指示に関する印刷ジョブの印刷物が出力されている鍵付き排紙口を解錠する解錠手段と、
を有する印刷システム。
【請求項５】
前記携帯端末装置は、
無線通信を介して画像形成装置に印刷指示を送信する送信手段と、
前記印刷指示に関する印刷ジョブが前記画像形成装置で印刷中の間、印刷中であることを示すオブジェクトを表示装置に表示させる表示制御手段と、
を有する請求項４記載の印刷システム。
【請求項６】
前記表示制御手段は、複数の印刷ジョブが前記画像形成装置で印刷中の間、印刷中の印刷ジョブの数を示すオブジェクトを前記表示装置に表示させる請求項５記載の印刷システム。
【請求項７】
無線通信を介して前記画像形成装置より受け取ったジョブの情報に基づき、前記画像形成装置で印刷中の複数の印刷ジョブのうち印刷済みのジョブがあるか否かを判定するジョブ判定手段を更に有し、
前記表示制御手段は、前記ジョブ判定手段により前記複数の印刷ジョブのうち印刷済みのジョブがあると判定された場合、前記印刷中の印刷ジョブの数から印刷済みのジョブの数を引いた数を示すオブジェクトを前記表示装置に表示させる請求項６記載の印刷システム。
【請求項８】
前記ジョブ判定手段は、前記画像形成装置の所定の領域への前記携帯端末装置のタッチが検知されると、前記無線通信を介して前記画像形成装置より前記ジョブの情報を受信し、前記ジョブの情報に基づき、前記画像形成装置で印刷中の複数の印刷ジョブのうち印刷済みのジョブがあるか否かを判定する請求項７記載の印刷システム。
【請求項９】
画像形成装置が実行する情報処理方法であって、
無線通信を介して携帯端末装置より印刷指示を受け取ると、前記携帯端末装置を識別する端末識別情報と、前記印刷指示に関する印刷ジョブを識別するジョブ識別情報と、を関連付けてジョブ情報として記憶装置に記憶する記憶ステップと、
無線通信を介して前記携帯端末装置より前記携帯端末装置を識別する端末識別情報を受け取ると、前記端末識別情報を含むジョブ情報が前記記憶装置に記憶されているか否かを判定する判定ステップと、
前記判定ステップにより前記端末識別情報を含むジョブ情報が前記記憶装置に記憶されていると判定された場合、前記印刷指示に関する印刷ジョブの印刷物が出力されている鍵付き排紙口を解錠する解錠ステップと、
を含む情報処理方法。
【請求項１０】
画像形成装置と、携帯端末装置と、を含む印刷システムにおける情報処理方法であって、
前記画像形成装置が、無線通信を介して前記携帯端末装置より印刷指示を受け取ると、前記携帯端末装置を識別する端末識別情報と、前記印刷指示に関する印刷ジョブを識別するジョブ識別情報と、を関連付けてジョブ情報として記憶装置に記憶する記憶ステップと、
前記画像形成装置が、無線通信を介して前記携帯端末装置より前記携帯端末装置を識別する端末識別情報を受け取ると、前記端末識別情報を含むジョブ情報が前記記憶装置に記憶されているか否かを判定する判定ステップと、
前記画像形成装置が、前記判定ステップにより前記端末識別情報を含むジョブ情報が前記記憶装置に記憶されていると判定された場合、前記印刷指示に関する印刷ジョブの印刷物が出力されている鍵付き排紙口を解錠する解錠ステップと、
を含む情報処理方法。
【請求項１１】
前記携帯端末装置が、無線通信を介して画像形成装置に印刷指示を送信する送信ステップと、
前記携帯端末装置が、前記印刷指示に関する印刷ジョブが前記画像形成装置で印刷中の間、印刷中であることを示すオブジェクトを表示装置に表示させる表示制御ステップと、
を更に含む請求項１０記載の情報処理方法。
【請求項１２】
コンピュータに、
無線通信を介して携帯端末装置より印刷指示を受け取ると、前記携帯端末装置を識別する端末識別情報と、前記印刷指示に関する印刷ジョブを識別するジョブ識別情報と、を関連付けてジョブ情報として記憶装置に記憶する記憶ステップと、
無線通信を介して前記携帯端末装置より前記携帯端末装置を識別する端末識別情報を受け取ると、前記端末識別情報を含むジョブ情報が前記記憶装置に記憶されているか否かを判定する判定ステップと、
前記判定ステップにより前記端末識別情報を含むジョブ情報が前記記憶装置に記憶されていると判定された場合、前記印刷指示に関する印刷ジョブの印刷物が出力されている鍵付き排紙口を解錠する解錠ステップと、
を実行させるためのプログラム。
【発明の詳細な説明】
【技術分野】
【０００１】
本発明は、無線通信技術に係る画像形成装置、印刷システム、情報処理方法及びプログラムに関する。
【背景技術】
【０００２】
携帯端末装置のＮＦＣ機能を利用し、同じくＮＦＣ機能を有する印刷装置に対して、ＮＦＣのタッチによって印刷データを送信して印刷の実行を依頼するシステムが存在する。
また、印刷装置のなかには、セキュリティの観点から出力物を排紙する排紙口、又は排紙トレイに鍵が設けられている印刷装置がある。このような印刷装置では、印刷データを印刷装置に送信した個人を特定する情報が操作パネル等から入力されると、前記鍵を解錠している。
例えば、印刷データを送信した携帯端末装置が印刷装置の無線通信範囲に入ると、印刷物を取得したものとみなして、記録する技術がある（特許文献１参照）。
また、画像データの印刷時等に、外部記憶媒体が接続されると、接続された外部記憶媒体から画像データを取得し、更に携帯端末装置と印刷装置との間で短距離の無線通信のコネクションを確立させる。その後、外部記憶媒体が接続されたままの状態で、印刷装置との無線通信領域外に携帯端末装置が出てしまった場合、携帯端末装置でそれを検知して、取り忘れの警告を行う技術もある（特許文献２参照）。
【先行技術文献】
【特許文献】
【０００３】
【特許文献１】特開２００３−２０８２９１号公報
【特許文献２】特開２０１０−１５４０３０号公報
【発明の概要】
【発明が解決しようとする課題】
【０００４】
近年、スマートフォンに代表されるように、携帯端末装置からのＮＦＣ接続により、有線接続で必要だった複雑な操作を必要とすることなく、印刷データを印刷装置に送信し、出力物を容易に得ることが可能となっている。また、大型の印刷装置等では、鍵付きの排紙口を有しているが、その鍵を解錠するには、物理的な鍵を用いるか、操作パネルからパスワード等の特定のコードを入力することで解錠していた。
しかし、物理的な鍵では、その鍵を保管、管理する必要があり、その管理者等の特定の人物だけしか解錠できない、或いは、操作パネルからの入力では、パネルからの入力操作のわずらわしさ等が課題となっている。
【０００５】
本発明は、携帯端末装置からから簡単に印刷指示を行うことができ、更に鍵付き排紙口の解錠において、取り間違いの防止及び確実に自分の出力物を取りだせることができるようにすることを目的とする。
【課題を解決するための手段】
【０００６】
そこで、本発明の画像形成装置は、無線通信を介して携帯端末装置より印刷指示を受け取ると、前記携帯端末装置を識別する端末識別情報と、前記印刷指示に関する印刷ジョブを識別するジョブ識別情報と、を関連付けてジョブ情報として記憶装置に記憶する記憶手段と、無線通信を介して前記携帯端末装置より前記携帯端末装置を識別する端末識別情報を受け取ると、前記端末識別情報を含むジョブ情報が前記記憶装置に記憶されているか否かを判定する判定手段と、前記判定手段により前記端末識別情報を含むジョブ情報が前記記憶装置に記憶されていると判定された場合、前記印刷指示に関する印刷ジョブの印刷物が出力されている鍵付き排紙口を解錠する解錠手段と、を有する。
【発明の効果】
【０００７】
本発明によれば、携帯端末装置からから簡単に印刷指示を行うことたでき、更に鍵付き排紙口の解錠において、取り間違いの防止及び確実に自分の出力物を取りだせることができるようにすることができる。
【図面の簡単な説明】
【０００８】
【図１】印刷システムのシステム構成の一例を示す図である。
【図２】携帯端末装置のハードウェア構成の一例を示す図である。
【図３】プリンタドライバのモジュール構成の一例を示す図である。
【図４】プリンタドライバのインストール手順の一例を示したフローチャートである。
【図５】プリンタを登録する手順の一例を示したフローチャートである。
【図６】プリンタ登録ダイアログの一例を示す図である。
【図７】プリンタ追加ダイアログの一例を示した図である。
【図８】プリンタコントローラの構成の一例を示す図である。
【図９】印刷装置の全体構成の一例を示す図である。
【図１０】印刷システムにおける情報処理を説明するための図である。
【図１１】印刷装置における情報処理の一例を示すフローチャートである。
【図１２】ジョブ情報の一例を示す図である。
【図１３】携帯端末装置において表示される表示画面の一例を示す図である。
【図１４】印刷システムにおける情報処理を説明するための図である。
【図１５】印刷装置及び携帯端末装置における情報処理の一例を示すフローチャートである。
【図１６】ジョブ情報の一例を示す図である。
【発明を実施するための形態】
【０００９】
以下、本発明の実施形態について図面に基づいて説明する。
【００１０】
＜実施形態１＞
［システム構成］
図１は、印刷システムのシステム構成の一例を示す図である。スマートフォン等の携帯端末装置１０１は、無線通信のコネクションにより、印刷装置１０２に接続される。携帯端末装置１０１にはオペレーティングシステム（以下、ＯＳという）、アプリケーション及びプリンタドライバのプログラムがインストールされている。図１に示される印刷システムにより、ユーザは携帯端末装置１０１から印刷データを印刷装置１０２に送信し、印刷することができる。印刷装置は、画像形成装置の一例である。
【００１１】
図２は、携帯端末装置１０１のハードウェア構成の一例を示す図である。携帯端末装置２０１は、携帯端末装置１０１と同一である。携帯端末装置２０１は、ハードウェア構成として、中央演算装置（ＣＰＵ）２０３、揮発性メモリであるＲＡＭ２０４、不揮発性メモリであるＲＯＭ２０５、ディスプレイ２０６、タッチパネル２０７、内部記憶装置２０８、ＮＦＣモジュール２１３を有する。また、携帯端末装置２０１は、ハードウェア構成として、ＮＦＣコントローラ２０９、無線通信装置２１０、ネットワークＩ／Ｆコントローラ２１１を含む。なお、図１で説明した無線通信のコネクションはネットワークＩ／Ｆコントローラ２１１によって制御され、無線技術を利用して他の機器と通信が行われる。無線ネットワーク２１２は無線ネットワークを便宜上図示化したものである。ディスプレイ２０６は、表示装置の一例である。
【００１２】
通常、携帯端末装置２０１を起動するための初期プログラムや携帯端末装置２０１の各モジュールを制御するための基本的なプログラムはＲＯＭ２０５に保存されている。またＯＳやアプリケーション、プリンタドライバのプログラムは内部記憶装置２０８に保存されている。携帯端末装置の電源が投入されると、まずＲＯＭ２０５に保存されているコンピュータを起動するためのプログラムブートローダがＣＰＵ２０３によって実行される。そして、ＣＰＵ２０３が内部記憶装置２０８に保存されているＯＳのプログラムをＲＡＭ２０４にロードし、その後、ＯＳのプログラム等に基づき処理を実行する。ＣＰＵ２０３は、処理に必要なモジュールやドライバのプログラムを更に内部記憶装置２０８からＲＡＭ２０４に読み込む。更にＣＰＵ２０３は、ユーザの指示により、必要なアプリケーションのプログラムを内部記憶装置２０８からＲＡＭ２０４に読み込み、実行する。
ＣＰＵ２０３がプログラムに基づき処理を実行することによって、携帯端末装置１０１の機能等が実現される。
【００１３】
［プリンタドライバインストール及びプリンタ登録］
次に携帯端末装置にインストールされるプリンタドライバについて説明する。
プリンタドライバは図３に示すようなモジュール群で構成されている。プリンタドライバ３０１は、グラフィックレンダリングモジュール３０２、ＵＩ制御モジュール３０３、プリンタ仕様記述ファイル３０４、色処理モジュール３０５、入出力制御モジュール３０６から構成される。なお、プリンタドライバの機能によってはこの他のモジュールから構成されることもある。
このプリンタドライバはいくつかの種類がある。例えばひとつのプリンタドライバで複数のプリンタに対応するために、グラフィックレンダリングモジュール３０２及びＵＩ制御モジュール３０３を複数のプリンタに対応できるように構成されているものがある。また、プリンタ仕様記述ファイル３０４に関しては、対応しているプリンタ分、プリンタドライバに同梱しておくように構成されているものもある。このような構成では、ＵＩ制御モジュール３０３は、プリンタ仕様記述ファイル３０４に合わせてＵＩを表示、制御する。またグラフィックレンダリングモジュール３０２は、各プリンタに合わせたページ記述言語及びプリンタ制御コマンドを発行するような構成となる。
【００１４】
次に、このような構成のプリンタドライバのプログラムを携帯端末装置２０１へインストールする手順を説明する。図４は、プリンタドライバのプログラムのインストール手順の一例を示したフローチャートである。ユーザはインターネットのダウンロードサイト等からダウンロードする等でプリンタドライバインストーラを入手しているものとする。ステップ４０１において、画面等を介したユーザからの起動要求に応じて、ＣＰＵ２０３は、プリンタドライバのインストーラのプログラムを起動する。ステップ４０２において、ＣＰＵ２０３は、インストーラのプログラムに基づき処理を実行し、プリンタドライバモジュールのプログラムを内部記憶装置２０８の所定の場所に格納する。格納場所は印刷システムやオペレーションシステムによって異なる。
【００１５】
これでプリンタドライバのプログラムのインストールは完了するが、実際にプリンタに出力するには、ユーザはプリンタドライバを使用してプリンタを登録する必要がある。図５、図６は一般的な使用例における、プリンタを登録する手順を示したものである。この手順に沿って、必要な図を用いながら流れを説明する。
ステップ５０１において、ＣＰＵ２０３は、画面等を介したユーザからの要求に応じて、プリンタ登録のダイアログを開く。より具体的に説明すると、ＣＰＵ２０３は、ＯＳのプログラムに基づき、プリンタ登録のためのプログラムを内部記憶装置２０８からＲＡＭ２０４に読み出して実行することによって図６に示すダイアログを表示する。図６は、プリンタ登録ユーザＩ／Ｆの一例を示した図である。このダイアログには、現在登録されているプリンタ一覧を表示するための登録プリンタリスト６０２、登録プリンタリスト６０２で選択されているプリンタの詳細情報を表示するプリンタ詳細表示領域６０３がある。また、このダイアログには、プリンタを登録するためのボタン６０４、登録プリンタリスト６０２で選択されているプリンタを削除するためのボタン６０５、このダイアログを閉じるためのボタン６０６が含まれる。
【００１６】
次にステップ５０２において、ＣＰＵ２０３は、ユーザがプリンタ登録ダイアログ６０１のボタン６０４をクリックしたことを検知する。このユーザ操作に応じて、ステップ５０３において、ＣＰＵ２０３は、ＯＳのプログラムに基づき、プリンタ登録ダイアログを表示する。ここで表示されたダイアログに対して、ユーザは、必要な情報を入力、プリンタの追加を行う。そして、ステップ５０４おいて、ＣＰＵ２０３は、入力及び追加を受け取る。図７は、プリンタ登録ダイアログの一例を示した図である。プリンタ追加ダイアログ７０１には、アドレス７０２、名前７０３、場所７０４、ドライバ７０５、追加ボタン７０６、キャンセルボタン７０７が含まれる。アドレス７０２は、接続されているプリンタのネットワークアドレス（この例ではＩＰアドレス）を指定するコントロールである。また、名前７０３は、プリンタを識別するためのプリンタの名前を入力するコントロールである。場所７０４は、プリンタが設置されている場所を入力するコントロールである。名前７０３及び場所７０４は、登録プリンタリスト６０２及びプリンタ詳細表示領域６０３に表示する際に使用される文字列となる。ドライバ７０５は、プリンタを登録する際に使用するプリンタドライバを指定するコントロールである。図７の例では、アドレス７０２が１９２．１６８．１．１０、プリンタの名前７０３が"ＰｒｉｎｔｅｒＣ"、場所７０４が"２Ｆ"、またドライバ７０５として"ＡＢＣ  ＰＤＬ１"が選択されている状態である。この状態で７０６の追加ボタンがクリックされると、ＣＰＵ２０３は、プリンタの追加を行う。なお、追加を行わないでこのダイアログを閉じるときはキャンセルボタン７０７か、ダイアログクローズボタン７０８の何れかがクリックされる。最後にステップ５０５において、ＣＰＵ２０３は、ユーザが指定したプリンタ等をシステムに登録する。
但し、上記説明は一般的に有線で接続された印刷装置に対してのプリンタ登録に関するものであり、以下、本実施形態におけるＮＦＣ等の無線接続を利用した印刷開始からの動作について説明する。
【００１７】
［プリンタコントローラ］
次にプリンタコントローラについて、図８を使用して説明する。
印刷装置のプリンタコントローラ８０１は、印刷装置での入出力を管理するネットワークインターフェース（ネットワークＩ／Ｆ）８０２とＮＦＣの動作を司るＮＦＣモジュール８０３とを含む。また、プリンタコントローラ８０１は、ＷｉＦｉ（登録商標）やＢｌｕｅｔｏｏｔｈ（登録商標）等の無線通信機能を有する無線通信モジュール８０４を含む。無線通信モジュール８０４は、有線における入出力も含め、プリンタコントローラに入出力される印刷データや制御信号等のインターフェース機能を有している。また、プリンタコントローラ８０１は、更に、印字データ処理部８０５とモジュール制御部８０６とを含む。印字データ処理部８０５は、ネットワークＩ／Ｆ８０２から入力された印刷データを解析し、印刷装置で印刷可能なビットマップ等のデータに変換する。モジュール制御部８０６は、プリンタコントローラ内の各モジュールの動作制御を行う。図８に示した構成は、ハードウェアとして実行されてもよいし、ソフトウェアとして実装されてもよい。ソフトウェアとし実装される場合、プリンタコントローラは、ハードウェアとして少なくともＣＰＵやメモリを有する。そして、ＣＰＵがメモリに記憶されているプログラムに基づき処理を実行することによって、ソフトウェアとしての機能や後述する印刷装置に関するフローチャートの処理が実現される。
【００１８】
［プリンタ本体］
図９は、印刷装置の全体構成の一例を示す図である。
印刷装置９０１には、印刷投入用のＮＦＣタグ９０２が装備されており、携帯端末装置１０１からの印刷指示等を受け付ける。印刷装置９０１には、鍵付きの排紙口９０３及び９０４がそれぞれ装着されている。
【００１９】
［印刷開始から印刷中までの印刷システム全体の動作説明］
図１０、図１１を用いて、本実施形態に関する、印刷システムにおける情報処理を説明する。なお、図１１では印刷装置の動作を主体として説明する。
携帯端末装置１０１には、ＮＦＣコントローラ２０９が搭載されており、ユーザがブラウザ等のアプリケーション上から印刷するためにプリンタドライバ３０１の起動を指示する。プリンタドライバ３０１が起動されている状態で、印刷装置（"プリンタＸ"：９０１）のＮＦＣタグ１００２にタッチ（１００３、Ｓ１１０１）されると、携帯端末装置Ａ１００１は、第一の動作（図１０において"１．"）として、以下の処理を実行する。即ち、携帯端末装置Ａ１００１は、印刷指示（１００４、Ｓ１１０２）の通信を行い、印刷データの送信をプリンタドライバ３０１で準備する。次に第二の動作（図１０において"２．"：１００５）として、携帯端末装置Ａ１００１は、ＮＦＣコントローラ２０９のＩＤ情報（図１０において"携帯ＩＤ−Ａ"）を印刷装置に送信する（Ｓ１１０３）。ＮＦＣコントローラ２０９のＩＤ情報は、端末識別情報の一例である。ＩＤ情報を受信した印刷装置は、印刷装置のＩＤ情報（図１０において"プリンタＩＤ−Ｘ"）と受信した印刷指示に対する印刷ジョブのＩＤ情報（図１０において"ジョブＩＤ"）とを携帯端末装置Ａ１００１に送信する（Ｓ１１０４）。印刷ジョブのＩＤ情報は、ジョブ識別情報の一例である。この時点で携帯端末装置Ａ１００１と印刷装置（プリンタＸ：９０１）とでＮＦＣの相互検知が確立する。そして、その後の印刷データ送信等の送受信は、携帯端末装置の無線通信装置２１０と印刷装置の無線通信モジュール８０４との間で、無線通信によるハンドオーバー（ＨＯ）接続によって行われる（１００６、Ｓ１１０５）。
【００２０】
印刷装置は、確立された無線通信により印刷データを受信し（Ｓ１１０６）、印刷を開始する（１００７、Ｓ１１０７）。印刷装置は、印刷が完了すると（Ｓ１１０８においてＹＥＳ）、印刷装置内で発行したジョブＩＤに、取得した携帯端末装置のＩＤ情報と、印刷ジョブのステータス情報（例えば、印刷完了等）と、を関連付けて印刷装置の内部記憶装置等に記憶する（Ｓ１１０９）。その後、印刷データの印刷処理が完了した後に、携帯端末装置Ａ１００１が再び印刷装置（プリンタＸ：９０１）側のＮＦＣタグ１００２にタッチ（１００９）された場合、印刷装置は、第三の動作（図１０において"３．"）として以下の処理を実行する。即ち、印刷装置は、ＮＦＣモジュール８０３を用いて、再びタッチされた携帯端末装置Ａ１００１内のＮＦＣコントローラ２０９のＩＤ情報（"携帯ＩＤ−Ａ"）を検知する（１０１０）。そして、印刷装置は、検知したＩＤ情報と、前回のタッチ（１００３）で印刷指示を出した携帯端末装置のＩＤ情報と、を照合する（Ｓ１１１０）。印刷装置は、同じＩＤ情報であれば、第四の動作（図１０において"４．"）として前記印刷指示に関する印刷ジョブの印刷物が出力されている鍵付き排紙口を解錠する（１０１１、Ｓ１１１１）。ここで、解錠とは鍵部をＯＳからの解錠信号を受けてから物理的に給紙口を開ける場合と、電子的に開放してから、取っ手等で開けられるようにする場合等と、がある。
【００２１】
図１２は、印刷装置９０１のＲＡＭ、又は内部記憶装置で記録、管理している印刷ジョブごとに管理するジョブ情報１２００の一例を示す図である。ジョブＩＤ１２０１は、携帯端末装置から指示された印刷ジョブごとに発行される印刷ジョブを識別するＩＤである。端末側ＮＦＣＩＤ１２０２は、印刷ジョブの印刷指示を出してきた携帯端末装置Ａ１００１内のＮＦＣを識別するＩＤである。ステータス１２０３は、各印刷ジョブが現時点でどのような状態（ステータス）なのかを表す情報である。ステータス１２０３の「取得済み」は鍵付き排紙口の鍵を解錠し、排紙口に設けられている紙ありセンサーが紙なし状態である等、印刷装置が既にその印刷ジョブに対する出力物が取り除かれている、と検知した場合の状態である。ステータス１２０３の「未取得」は印刷装置がまだその印刷ジョブに対する出力物が取り除かれていないと検知している場合の状態である。より具体的には、印刷装置が、印刷ジョブを指示した携帯端末装置Ａ１００１がまだ２回目のタッチ（１００９）を行っていないと判定している状態である。又は、印刷装置が、鍵付き排紙口の鍵が解錠されたものの、まだ排紙口に設けられている紙ありセンサーが紙あり状態であると検知している場合の状態である。ステータス１２０３の「印刷中」は、印刷ジョブの印刷指示開始から、図１０の１００８の状態にまで至っておらず、印刷指示された印刷ジョブをまだ印刷処理中であることを表す状態である。仮に、この状態の時点で印刷指示を行った携帯端末装置Ａ１００１が印刷装置にタッチがなされたとしても、印刷装置は、まだ鍵付き排紙口の鍵を解錠することはなく、例えば、同じ携帯端末装置から次の印刷ジョブを受け付ける動作等を行う。
また、図９で表わすように鍵付き排紙口を複数有する印刷装置において、タッチを行った携帯端末装置所有者の印刷物が排紙された給紙口の鍵のみを解錠する際、物理的に給紙口を開ける場合、ユーザは給紙口の動きや解放音で判断できる。しかし、電子的に開放する場合、印刷装置は、操作パネル等においてどの給紙口を解放したかを表示する、又は給紙口に設けたＬＥＤ等の簡易表示の点灯、点滅でどの給紙口を解放したかを表示するようにしてもよい。
【００２２】
＜実施形態２＞
図１３は、携帯端末装置において表示される表示画面の一例を示す図である。携帯端末装置１３００は、インストールされているプリンタドライバのアイコン１３０１上に現在この携帯端末装置１３００からのタッチ操作で印刷指示を行っている最中の印刷ジョブの数をバッジ１３０２で表示するよう表示制御する。図１３の例では携帯端末装置１３００から印刷指示を行い、まだ出力物を取得していないものが２つあることを表している。バッジ１３０２は、印刷中であることを示すオブジェクトや、印刷中の印刷ジョブの数を示すオブジェクトの一例である。
【００２３】
図１４、図１５を用いて、本実施形態に関する、印刷システムにおける情報処理を説明する。
携帯端末装置１０１には、ＮＦＣコントローラ２０９が搭載されており、ユーザがブラウザ等のアプリケーション上から印刷するためにプリンタドライバ３０１の起動を指示する。プリンタドライバ３０１が起動されている状態で、印刷装置（"プリンタＸ"：９０１）のＮＦＣタグ１４０２にタッチ（１４０３、Ｓ１５０１）されると、携帯端末装置Ａ１００１は、第一の動作（図１４において"１．"）として、以下の処理を実行する。即ち、携帯端末装置Ａ１００１は、印刷指示（１４０４、Ｓ１５０２）の通信を行い、印刷データの送信をプリンタドライバ３０１が準備する。次に第二の動作（図１０において"２．"：１４０５）として、携帯端末装置Ａ１４０１は、ＮＦＣコントローラ２０９のＩＤ情報（図１４において"携帯ＩＤ−Ａ"）を印刷装置に送信する（Ｓ１５０３）。ＩＤ情報を受信した印刷装置は、印刷装置のＩＤ情報（図１４において"プリンタＩＤ−Ｘ"）と受信した印刷指示に対する印刷ジョブのＩＤ情報（図１４において"ジョブＩＤ"）とを携帯端末装置Ａ１４０１に送信する（Ｓ１５０４）。この時点で携帯端末装置Ａ１４０１と印刷装置（プリンタＸ：９０１）とでＮＦＣの相互検知が確立する。そして、その後の印刷データ送信等の送受信は、携帯端末装置の無線通信装置２１０と印刷装置の無線通信モジュール８０４との間で、無線通信によるハンドオーバー（ＨＯ）接続によって行われる（１４０６、Ｓ１５０５）。
【００２４】
印刷装置は、確立された無線通信により印刷データを受信し（Ｓ１５０６）、印刷を開始する（１４０７、Ｓ１５０８）。一方、携帯端末装置Ａ１４０１は、印刷データを全て送信した後に、現在印刷処理中の印刷ジョブが１件あることを、ＲＡＭ２０４、又は内部記憶装置２０８に記憶する。そして、携帯端末装置Ａ１４０１は、プリンタドライバのアイコンをディスプレイ２０６等に表示する際に、バッジ１３０２として表示する（１４０８：図１４では"印刷中"、Ｓ１５０７）。印刷装置は、印刷が完了すると（Ｓ１５０９においてＹＥＳ）、印刷装置内で発行したジョブＩＤに、取得した携帯端末装置のＩＤ情報と、印刷ジョブのステータス情報と、を関連付けて印刷装置の内部記憶装置等に記憶する（Ｓ１５１０）。その後、印刷データの印刷処理が完了した後に、携帯端末装置Ａ１４０１が再び印刷装置（プリンタＸ：９０１）側のＮＦＣタグ１４０２にタッチ（１４１０）された場合、印刷装置は、第三の動作（図１４において"３．"）として以下の処理を実行する。即ち、印刷装置は、ＮＦＣモジュール８０３を用いて、再びタッチされた携帯端末装置Ａ１４０１内のＮＦＣコントローラ２０９のＩＤ情報（"携帯ＩＤ−Ａ"）を検知する（１４１１）。そして、印刷装置は、検知したＩＤ情報と、前回のタッチ（１４０３）で印刷指示を出した携帯端末装置のＩＤ情報とを照合する（Ｓ１５１１）。印刷装置は、同じＩＤ情報であれば、第四の動作（図１４において"４．"）として以下の処理を実行する。即ち、印刷装置は、タッチ（１４１０）で検知した携帯端末装置Ａ１４０１に対して、既に印刷が完了した印刷ジョブのジョブＩＤ（"ジョブＩＤ"）と印刷装置９０１のプリンタＩＤ（"プリンタＩＤ−Ｘ"）とを通知する（１４１２）。更に印刷装置は、第五の動作（図１４において"５．"）として鍵付き前記印刷指示に関する印刷ジョブの印刷物が出力されている鍵付き排紙口を解錠する（１４１３、Ｓ１５１２）。
【００２５】
携帯端末装置Ａ１４０１は、プリンタドライバのアイコン１３０１に表示しているバッジ１３０２の数値を印刷装置より取得した完了した印刷ジョブ（印刷済みのジョブ）のジョブＩＤの数だけ減数する（１４１５、Ｓ１５１３）。より具体的に説明すると、携帯端末装置Ａ１４０１は、１４１２で受信したプリンタＩＤに基づいて、印刷装置に印刷指示した複数の印刷ジョブのうち印刷済みの印刷ジョブがあるか否かを判定する。この処理は、ジョブ判定の処理の一例である。そして、携帯端末装置Ａ１４０１は、複数の印刷ジョブのうち印刷済みのジョブがあると判定した場合、前記印刷中の印刷ジョブの数から印刷済みのジョブの数を引いた数を示すバッジ１３０２をディスプレイ２０６に表示させる。なお、印刷装置が印刷処理を完了していない状態で、プリンタＸ側のＮＦＣタグ１４０２に携帯端末装置Ａ１４０１がタッチされた場合、携帯端末装置Ａ１４０１は、次の印刷ジョブが投入されたものと処理してもよい。つまり、携帯端末装置Ａ１４０１は、プリンタドライバのアイコン１３０１に表示しているバッジ１３０２の数値を一つ増やしてもよい。
【００２６】
図１６は、携帯端末装置１０１のＲＡＭ２０４、又は内部記憶装置２０８で記録、管理している現在投入中の印刷ジョブごとに管理されるジョブ情報１６００の一例を示す図である。ジョブＩＤ１６０１は、携帯端末装置から投入された印刷ジョブごとに印刷装置９０１で発行され、Ｓ１５０４で送信されたジョブＩＤを識別するＩＤである。プリンタ側ＮＦＣＩＤ１６０２は、投入された印刷ジョブを処理している印刷装置側のＮＦＣタグ１４０２を識別するＩＤである。ステータス１６０３は、各印刷ジョブが現時点でどのような状態（ステータス）なのかを表す情報である。ステータス１６０３の「取得済み」はタッチ（１４１０）から１４１３までの照合が正しく判断された場合の状態である。ステータス１６０３の「未取得」は印刷装置からまだその印刷ジョブに対する出力物を取り除かれていない場合の状態である。より具体的には、携帯端末装置Ａ１４０１がまだ２回目のタッチ（１４１０）を行っていない、又は３番目の印刷ジョブ（図１６ではジョブＩＤ：２０１３１１０６１１０５０２９０００）投入時に、まだ印刷が完了していない等と判定された場合の状態である。ステータス１６０３の「印刷中」は、印刷ジョブの投入直後で印刷ジョブがまだ印刷処理中であると判定された場合の状態である。図１６の状態の場合、バッジ１３０２では"２"と表示されていることになる。
【００２７】
＜その他の実施形態＞
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読み出し実行する処理でも実現可能である。また、１以上の機能を実現する回路（例えば、ＡＳＩＣ）によっても実現可能である。
【００２８】
以上、上述した各実施形態によれば、携帯端末装置からから簡単に印刷指示を行うことたでき、更に鍵付き排紙口の解錠において、取り間違いの防止及び確実に自分の出力物を取りだせることができるようにすることができる。
なお、印刷データは、携帯端末装置から直接、印刷装置に送信される場合に限らず、携帯端末装置からサーバ等を経由して、印刷装置に送信される様な場合であってもよい。このような場合であっても上述した効果を奏することができる。
【符号の説明】
【００２９】
１０１  携帯端末装置、１０２  印刷装置、２０３  ＣＰＵ
【図１】
2015196323.tif 000003
【図２】
2015196323.tif 000004
【図３】
2015196323.tif 000005
【図４】
2015196323.tif 000006
【図５】
2015196323.tif 000007
【図６】
2015196323.tif 000008
【図７】
2015196323.tif 000009
【図８】
2015196323.tif 000010
【図９】
2015196323.tif 000011
【図１０】
2015196323.tif 000012
【図１１】
2015196323.tif 000013
【図１２】
2015196323.tif 000014
【図１３】
2015196323.tif 000015
【図１４】
2015196323.tif 000016
【図１５】
2015196323.tif 000017
【図１６】
2015196323.tif 000018